(57)【特許請求の範囲】
【請求項１】
発行済みの複数の有価証券のそれぞれに対応し、前記有価証券の権利関係を示す権利情報を記憶部に記憶させるとともに、前記有価証券を所有するユーザを識別するユーザ識別情報と、前記有価証券を示すとともに前記ユーザが前記権利情報を参照する場合に用いられるトークン情報とを関連付けてブロックチェーンに記憶させる記憶制御部と、
前記有価証券の譲渡を希望する譲渡希望者と、前記有価証券の譲受を希望する譲受希望者とのマッチングを行うマッチング部と、
前記マッチング部によりマッチングされた前記譲渡希望者と前記譲受希望者とから、前記有価証券の譲渡及び譲受の合意を受け付ける合意受付部と、
前記合意受付部が前記譲渡及び譲受の合意を受け付けると、前記譲渡の対象となる前記有価証券の譲渡後の権利関係を示す前記権利情報を生成し、前記記憶部に記憶させるとともに、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させる所有者変更部と、
前記ブロックチェーンにおいて、不正なデータが入力されていないかを監視する監視部と、
を備える有価証券管理装置。
【請求項２】
前記所有者変更部は、前記譲渡の対象となる前記有価証券に対応する前記トークン情報を新たに生成し、生成した前記トークン情報と、前記譲受希望者に対応する前記ユーザ識別情報とを関連付けて前記ブロックチェーンに記憶させる、
請求項１に記載の有価証券管理装置。
【請求項３】
前記ユーザが使用する端末から、前記ユーザに関連付けられている前記トークン情報が示す前記有価証券に対応する前記権利情報の参照要求を受け付けると、前記記憶部に記憶された前記有価証券に対応する権利情報を前記端末に送信する権利情報提供部をさらに備える、
請求項１又は２に記載の有価証券管理装置。
【請求項４】
前記トークン情報には、前記権利情報の参照に用いられる鍵情報が含まれており、
前記権利情報提供部は、前記ユーザが使用する端末から、前記トークン情報が示す前記有価証券に対応する前記権利情報の参照要求を受け付けると、前記トークン情報に含まれている前記鍵情報に基づいて認証を行い、認証に成功すると前記権利情報を前記端末に送信する、
請求項３に記載の有価証券管理装置。
【請求項５】
前記トークン情報には、前記有価証券を譲受可能なユーザを示すリストが含まれており、
前記マッチング部は、前記譲渡希望者が所有する前記有価証券に対応する前記トークン情報に含まれている前記リストを参照し、当該リストに含まれる前記譲受希望者と、当該譲渡希望者とのマッチングを行う、
請求項１から４のいずれか１項に記載の有価証券管理装置。
【請求項６】
前記記憶制御部は、前記有価証券の発行者から、前記リストの編集を受け付けることにより前記リストを更新する、
請求項５に記載の有価証券管理装置。
【請求項７】
前記トークン情報には、前記有価証券の移転手続に関する処理を実行し、前記権利情報を生成する移転申請プログラムが含まれており、
前記所有者変更部は、前記合意受付部が前記譲渡の合意を受け付けると、前記移転申請プログラムを実行することにより前記移転申請プログラムに前記権利情報を生成させる、
請求項１から６のいずれか１項に記載の有価証券管理装置。
【請求項８】
前記記憶部には、前記ブロックチェーンにおいて過去に正常に入力された正のデータと、過去に不正に入力された負のデータとに基づいて学習することにより作成され、データの入力に対して、入力されたデータが正常に入力されたデータか、不正に入力されたデータかを示す情報を出力する分類プログラムが記憶されており、
前記監視部は、前記ブロックチェーンに入力されたデータを前記分類プログラムに入力し、前記分類プログラムから出力された情報に基づいて、不正なデータが入力されていないかを監視する、
請求項１から７のいずれか１項に記載の有価証券管理装置。
【請求項９】
コンピュータが実行する、
発行済みの複数の有価証券のそれぞれに対応し、前記有価証券の権利関係を示す権利情報を記憶部に記憶させるステップと、
前記有価証券を所有するユーザを識別するユーザ識別情報と、前記有価証券を示すとともに前記ユーザが前記権利情報を参照する場合に用いられるトークン情報とを関連付けてブロックチェーンに記憶させるステップと、
前記有価証券の譲渡を希望する譲渡希望者と、前記有価証券の譲受を希望する譲受希望者とのマッチングを行うステップと、
マッチングされた前記譲渡希望者と前記譲受希望者とから、前記有価証券の譲渡及び譲受の合意を受け付けるステップと、
前記譲渡及び譲受の合意が受け付けられると、前記譲渡の対象となる前記有価証券の譲渡後の権利関係を示す前記権利情報を生成し、前記記憶部に記憶させるステップと、
前記譲渡及び譲受の合意が受け付けられると、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させるステップと、
前記ブロックチェーンにおいて、不正なデータが入力されていないかを監視するステップと、
を有する有価証券管理方法。
【請求項１０】
コンピュータを、
発行済みの複数の有価証券のそれぞれに対応し、前記有価証券の権利関係を示す権利情報を記憶部に記憶させるとともに、前記有価証券を所有するユーザを識別するユーザ識別情報と、前記有価証券を示すとともに前記ユーザが前記権利情報を参照する場合に用いられるトークン情報とを関連付けてブロックチェーンに記憶させる記憶制御部、
前記有価証券の譲渡を希望する譲渡希望者と、前記有価証券の譲受を希望する譲受希望者とのマッチングを行うマッチング部、
前記マッチング部によりマッチングされた前記譲渡希望者と前記譲受希望者とから、前記有価証券の譲渡及び譲受の合意を受け付ける合意受付部、
前記合意受付部が前記譲渡及び譲受の合意を受け付けると、前記譲渡の対象となる前記有価証券の譲渡後の権利関係を示す前記権利情報を生成し、前記記憶部に記憶させるとともに、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させる所有者変更部、及び、
前記ブロックチェーンにおいて、不正なデータが入力されていないかを監視する監視部、
として機能させる有価証券管理プログラム。
【発明の詳細な説明】
【技術分野】
【０００１】
本発明は、有価証券管理装置、有価証券管理方法及び有価証券管理プログラムに関する。
【背景技術】
【０００２】
従来、コンピュータ上で有価証券を管理する方法が知られている。例えば、特許文献１には、有価証券の発行元を示す発行元データと、有価証券の金額を示す金額データとを有価証券から読み取るとともに、有価証券の画像データを生成し、発行元データ及び金額データを含むテキストデータと、生成した記画像データと、有価証券の受取り先を示す受取り先データとを関連付けて管理する方法が開示されている。
【先行技術文献】
【特許文献】
【０００３】
【特許文献１】特開２００７−２０００２２号公報
【発明の概要】
【発明が解決しようとする課題】
【０００４】
ところで、有価証券の譲渡等に伴い、有価証券の権利移転が行われる場合、有価証券の譲渡者と譲受者との間で権利移転に伴う各種契約書を作成する必要があり、権利移転に関する手続きが煩雑であった。
【０００５】
そこで、本発明はこれらの点に鑑みてなされたものであり、有価証券の権利移転を容易に行うことができる有価証券管理装置、有価証券管理方法及び有価証券管理プログラムを提供することを目的とする。
【課題を解決するための手段】
【０００６】
本発明の第１の態様に係る有価証券管理装置は、発行済みの複数の有価証券のそれぞれに対応し、前記有価証券の権利関係を示す権利情報を記憶部に記憶させるとともに、前記有価証券を所有するユーザを識別するユーザ識別情報と、前記有価証券を示すとともに前記ユーザが前記権利情報を参照する場合に用いられるトークン情報とを関連付けてブロックチェーンに記憶させる記憶制御部と、前記有価証券の譲渡を希望する譲渡希望者と、前記有価証券の譲受を希望する譲受希望者とのマッチングを行うマッチング部と、前記マッチング部によりマッチングされた前記譲渡希望者と前記譲受希望者とから、前記有価証券の譲渡及び譲受の合意を受け付ける合意受付部と、前記合意受付部が前記譲渡及び譲受の合意を受け付けると、前記譲渡の対象となる前記有価証券の譲渡後の権利関係を示す前記権利情報を生成し、前記記憶部に記憶させるとともに、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させる所有者変更部と、を備える。
【０００７】
前記所有者変更部は、前記譲渡の対象となる前記有価証券に対応する前記トークン情報を新たに生成し、生成した前記トークン情報と、前記譲受希望者に対応する前記ユーザ識別情報とを関連付けて前記ブロックチェーンに記憶させてもよい。
【０００８】
前記有価証券管理装置は、前記ユーザが使用する端末から、前記ユーザに関連付けられている前記トークン情報が示す前記有価証券に対応する前記権利情報の参照要求を受け付けると、前記記憶部に記憶された前記有価証券に対応する権利情報を前記端末に送信する権利情報提供部をさらに備えてもよい。
【０００９】
前記トークン情報には、前記権利情報の参照に用いられる鍵情報が含まれており、前記権利情報提供部は、前記ユーザが使用する端末から、前記トークン情報が示す前記有価証券に対応する前記権利情報の参照要求を受け付けると、前記トークン情報に含まれている前記鍵情報に基づいて認証を行い、認証に成功すると前記権利情報を前記端末に送信してもよい。
【００１０】
前記トークン情報には、前記有価証券を譲受可能なユーザを示すリストが含まれており、前記マッチング部は、前記譲渡希望者が所有する前記有価証券に対応する前記トークン情報に含まれている前記リストを参照し、当該リストに含まれる前記譲受希望者と、当該譲渡希望者とのマッチングを行ってもよい。
【００１１】
前記記憶制御部は、前記有価証券の発行者から、前記リストの編集を受け付けることにより前記リストを更新してもよい。
【００１２】
前記トークン情報には、前記有価証券の移転手続に関する処理を実行し、前記権利情報を生成する移転申請プログラムが含まれており、前記所有者変更部は、前記合意受付部が前記譲渡の合意を受け付けると、前記移転申請プログラムを実行することにより前記移転申請プログラムに前記権利情報を生成させてもよい。
【００１３】
前記有価証券管理装置は、前記ブロックチェーンにおいて、不正なデータが入力されていないかを監視する監視部をさらに備えてもよい。
前記記憶部には、前記ブロックチェーンにおいて過去に正常に入力された正のデータと、過去に不正に入力された負のデータとに基づいて学習することにより作成され、データの入力に対して、入力されたデータが正常に入力されたデータか、不正に入力されたデータかを示す情報を出力する分類プログラムが記憶されており、前記監視部は、前記ブロックチェーンに入力されたデータを前記分類プログラムに入力し、前記分類プログラムから出力された情報に基づいて、不正なデータが入力されていないかを監視してもよい。
【００１４】
本発明の第２の態様に係る有価証券管理方法は、コンピュータが実行する、発行済みの複数の有価証券のそれぞれに対応し、前記有価証券の権利関係を示す権利情報を記憶部に記憶させるステップと、前記有価証券を所有するユーザを識別するユーザ識別情報と、前記有価証券を示すとともに前記ユーザが前記権利情報を参照する場合に用いられるトークン情報とを関連付けてブロックチェーンに記憶させるステップと、前記有価証券の譲渡を希望する譲渡希望者と、前記有価証券の譲受を希望する譲受希望者とのマッチングを行うステップと、マッチングされた前記譲渡希望者と前記譲受希望者とから、前記有価証券の譲渡及び譲受の合意を受け付けるステップと、前記譲渡及び譲受の合意が受け付けられると、前記譲渡の対象となる前記有価証券の譲渡後の権利関係を示す前記権利情報を生成し、前記記憶部に記憶させるステップと、前記譲渡及び譲受の合意が受け付けられると、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させるステップと、を有する。
【００１５】
本発明の第３の態様に係る有価証券管理プログラムは、コンピュータを、発行済みの複数の有価証券のそれぞれに対応し、前記有価証券の権利関係を示す権利情報を記憶部に記憶させるとともに、前記有価証券を所有するユーザを識別するユーザ識別情報と、前記有価証券を示すとともに前記ユーザが前記権利情報を参照する場合に用いられるトークン情報とを関連付けてブロックチェーンに記憶させる記憶制御部、前記有価証券の譲渡を希望する譲渡希望者と、前記有価証券の譲受を希望する譲受希望者とのマッチングを行うマッチング部、前記マッチング部によりマッチングされた前記譲渡希望者と前記譲受希望者とから、前記有価証券の譲渡及び譲受の合意を受け付ける合意受付部、及び、前記合意受付部が前記譲渡及び譲受の合意を受け付けると、前記譲渡の対象となる前記有価証券の譲渡後の権利関係を示す前記権利情報を生成し、前記記憶部に記憶させるとともに、前記譲渡の対象となる前記有価証券に対応するトークン情報に関連付けられる前記ユーザ識別情報を、前記譲渡希望者の前記ユーザ識別情報から前記譲受希望者の前記ユーザ識別情報に変更し、前記譲受希望者の前記ユーザ識別情報と、当該有価証券に対応する前記トークン情報とを関連付けて前記ブロックチェーンに記憶させる所有者変更部、として機能させる。
【発明の効果】
【００１６】
本発明によれば、有価証券の権利移転を容易に行うことができるという効果を奏する。
【図面の簡単な説明】
【００１７】
【図１】実施の形態に係る有価証券管理システムの概要を示す図である。
【図２】実施の形態に係る有価証券管理装置の構成を示す図である。
【図３】ブロックチェーンとウォレットとトークン情報との関係を示す図である。
【図４】実施の形態に係る有価証券管理装置が実行する有価証券の移転に係る処理の流れを示すフローチャートである。
【発明を実施するための形態】
【００１８】
［有価証券管理システムＳの概要］
図１は、実施の形態に係る有価証券管理システムＳの概要を示す図である。有価証券管理システムＳは、有価証券を管理するシステムであり、有価証券管理装置１と、ブロックチェーン２とを有する。有価証券は、財産的価値のある権利を示す証券であり、例えば、株券、債券、投資信託の受益証券、匿名組合契約等の証券である。本実施形態では、説明を簡単にするため、企業体等の有価証券の発行者が、一つの企業等の有価証券を発行し、有価証券管理システムＳが、一つの企業等の有価証券を管理するものとして説明を行う。
【００１９】
有価証券管理装置１は、有価証券の権利関係を示す権利情報を管理するコンピュータである。有価証券管理装置１は、有価証券の権利関係を示す権利情報を記憶する。また、有価証券管理装置１は、有価証券の所有者としての有価証券管理装置１のユーザを識別するユーザ識別情報としてのユーザＩＤと、有価証券を示すトークン情報とを関連付けてブロックチェーン２に記憶させる。トークン情報は、有価証券を示すだけではなく、ユーザが、自身が所有する有価証券の権利情報を参照する場合に用いられる情報である。
【００２０】
有価証券管理装置１は、有価証券の譲渡を希望するユーザである譲渡希望者が使用する第１ユーザ端末３から有価証券の譲渡申込を受け付ける（図１における（１））。有価証券管理装置１は、有価証券の譲受を希望するユーザである譲受希望者が使用する第２ユーザ端末４から有価証券の譲受申込を受け付ける（図１における（２））。
【００２１】
有価証券管理装置１は、譲渡希望者と譲受希望者とのマッチングを行い（図１における（３））、マッチングされた譲渡希望者と譲受希望者に、マッチングされたことを示すマッチング結果を通知する（図１における（４））。
【００２２】
有価証券管理装置１は、譲渡希望者から譲渡の合意を受け付けるとともに（図１における（５−１））、譲受希望者から譲受の合意を受け付けると（図１における（５−２））、譲渡の対象となる有価証券の譲渡後の権利関係を示す権利情報を生成する（図１における（６））。有価証券管理装置１は、生成した権利情報を記憶媒体に記憶させる（図１における（７））。
【００２３】
また、有価証券管理装置１は、譲渡及び譲受の合意を受け付けると、譲渡の対象となる有価証券に対応するトークン情報に関連付けられるユーザＩＤを、譲受希望者のユーザＩＤに変更する（図１における（８））。これにより、譲受希望者は有価証券の保有者となり、自身のユーザＩＤに対応するトークン情報を用いて、自身が所有する有価証券の権利情報を参照することができるようになる。
【００２４】
このように、有価証券管理装置１は、図１に示す有価証券の譲渡に関する手続を自動的に行うことができるので、有価証券の権利移転を容易に行うことができる。
【００２５】
［有価証券管理装置１の構成］
続いて、有価証券管理装置１の構成について説明する。図２は、実施の形態に係る有価証券管理装置１の構成を示す図である。図２に示すように、有価証券管理装置１は、通信部１１と、記憶部１２と、制御部１３とを備える。
【００２６】
通信部１１は、例えば、有価証券管理装置１のユーザが使用するユーザ端末、及びブロックチェーンを構成するサーバ群と通信を行うための通信インターフェースである。
【００２７】
記憶部１２は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を含む記憶媒体である。記憶部１２は、制御部１３が実行するプログラムを記憶している。例えば、記憶部１２は、有価証券管理装置１を、記憶制御部１３１、権利情報提供部１３２、マッチング部１３３、合意受付部１３４、所有者変更部１３５、及び監視部１３６として機能させるプログラムを記憶している。
【００２８】
また、記憶部１２は、有価証券管理装置１を利用するユーザ、すなわち、有価証券の譲渡希望者及び譲受希望者を識別するユーザＩＤと、ユーザの個人情報とを関連付けたユーザ情報を記憶する。
【００２９】
制御部１３は、例えばＣＰＵ（Ｃｅｎｔｒａｌ  Ｐｒｏｃｅｓｓｉｎｇ  Ｕｎｉｔ）である。制御部１３は、記憶部１２に記憶されたプログラムを実行することにより、記憶制御部１３１、権利情報提供部１３２、マッチング部１３３、合意受付部１３４、所有者変更部１３５、及び監視部１３６として機能する。
【００３０】
記憶制御部１３１は、発行済みの複数の有価証券のそれぞれに対応し、有価証券の権利関係を示す権利情報を記憶部１２に記憶させる。記憶制御部１３１は、有価証券発行者の操作により、発行済みの複数の有価証券のそれぞれに対応する権利情報を記憶部１２に記憶させる。権利情報は、例えば、株主名簿、社債原簿、組合員名簿等の名簿情報、出資に関する契約書、有価証券の譲渡に関連する契約書、及びこれらの情報の履歴情報である。なお、記憶制御部１３１は、権利情報の全てを記憶部１２に記憶させることとしたが、これに限らず、例えば、名簿情報をブロックチェーンに記憶させるようにしてもよい。有価証券管理装置１は、名簿情報をブロックチェーンに記憶させることにより、名簿情報の改ざんが行われることを抑制することができる。
【００３１】
記憶制御部１３１は、有価証券を所有するユーザを識別するユーザＩＤと、有価証券を示すとともにユーザが権利情報を参照する場合に用いられるトークン情報とを関連付けてブロックチェーン２に記憶させる。記憶制御部１３１は、例えば、有価証券発行者の操作により、有価証券を所有するユーザのユーザＩＤと、トークン情報とを関連付けてブロックチェーン２に記憶させる。
【００３２】
記憶制御部１３１は、まず、複数の有価証券のそれぞれに対して、有価証券の発行者から、有価証券の所有者と、有価証券を譲受可能なユーザのリストであるホワイトリストを受け付ける。ホワイトリストは、複数の有価証券のそれぞれに対して設定される。
【００３３】
記憶制御部１３１は、ブロックチェーン２におけるユーザに対応する記憶領域に、当該ユーザが所有する有価証券に対応し、ホワイトリストを含むトークン情報を記憶させる。具体的には、ブロックチェーン２には、複数のユーザのそれぞれに対応する記憶領域としてのウォレットが割り当てられている。
【００３４】
図３は、ブロックチェーン２とウォレットとトークン情報との関係を示す図である。記憶制御部１３１は、有価証券を所有するユーザのユーザＩＤに関連付けられているウォレットに、当該ユーザに対応するトークン情報を記憶させる。ウォレットには、ユーザが所有する有価証券の数量に対応して複数のトークン情報と、トークン情報を移転する場合に用いられる秘密鍵とが格納される。トークン情報には、有価証券の移転時に、有価証券の移転手続に関する処理を実行し、権利情報を生成する移転申請プログラムであるスマートコントラクトが格納されている。スマートコントラクトには、自身が格納されているトークン情報に対応する権利情報の参照に用いられる認証鍵と、ホワイトリストとが含まれている。
【００３５】
なお、記憶制御部１３１は、トークン情報がウォレットに格納された後、有価証券の発行者から、ホワイトリストの編集を受け付けることにより、ホワイトリストを更新してもよい。例えば、記憶制御部１３１は、全てのトークン情報のそれぞれに対応するホワイトリストに対するユーザの追加、削除を受け付けることにより、全てのホワイトリストを一括して更新してもよい。このようにすることで、有価証券管理装置１は、有価証券の発行者の希望に応じてホワイトリストを更新することができる。
【００３６】
権利情報提供部１３２は、ユーザが使用する端末（例えば第１ユーザ端末３及び第２ユーザ端末４を含むユーザ端末）から、当該ユーザに関連付けられているトークン情報が示す有価証券に対応する権利情報の参照要求を受け付けると、記憶部１２に記憶された当該有価証券に対応する権利情報を当該端末に送信する。権利情報提供部１３２は、ユーザが使用する端末から、トークン情報が示す有価証券に対応する権利情報の参照要求を受け付けると、トークン情報に格納されているスマートコントラクトに含まれている認証鍵と、当該トークン情報がウォレットに格納されたことを示すトランザクション情報とに基づいて認証を行い、認証に成功すると権利情報を前記端末に送信する。
【００３７】
具体的には、まず、権利情報提供部１３２は、有価証券を所有しているユーザの端末の操作に応じて、当該ユーザのウォレットに格納されているトークン情報に格納されているスマートコントラクトに含まれる認証鍵と、当該トークン情報に対応するトランザクション情報とを取得する。権利情報提供部１３２は、認証鍵と、トランザクション情報とが対応しているか否かに基づいて、権利情報を閲覧しているユーザが正当なユーザであるか否かを判定する。
【００３８】
権利情報提供部１３２は、ユーザが正当なユーザであると判定し、認証に成功すると、記憶部１２に記憶されている、当該ユーザに対応する権利情報をユーザの端末に送信することにより、当該ユーザに権利情報を提供する。
【００３９】
マッチング部１３３は、有価証券の譲渡を希望する譲渡希望者と、有価証券の譲受を希望する譲受希望者とのマッチングを行う。例えば、マッチング部１３３は、一以上の譲渡希望者のそれぞれが使用する第１ユーザ端末３から、ユーザＩＤと、有価証券の譲渡希望数とを含む譲渡要求を受け付けるとともに、一以上の譲受希望者のそれぞれが使用する第２ユーザ端末４から、ユーザＩＤと、有価証券の譲受希望数とを含む譲受要求を受け付ける。
【００４０】
マッチング部１３３は、一以上の譲渡要求及び一以上の譲受要求を受け付けると、譲渡希望者と譲受希望者とのマッチングを行う。例えば、マッチング部１３３は、所定時間おきに譲渡希望者と譲受希望者とのマッチングを行う。マッチング部１３３は、譲渡希望者の譲渡希望数と一致する譲受希望数の譲受希望者を、当該譲渡希望者から有価証券を譲受する譲受希望者に割り当てる。ここで、マッチング部１３３は、譲受希望者を割り当てる場合に、譲渡希望者が所有する有価証券に対応するトークン情報に含まれているホワイトリストを参照し、ホワイトリストに含まれている譲受希望者と、譲渡希望者とのマッチングを行う。このようにすることで、有価証券の発行者が譲受を許可した譲受希望者に限定して有価証券を譲渡させることができる。
【００４１】
なお、マッチング部１３３は、譲渡希望数と一致する譲受希望数の譲受希望者が存在しない場合、一人の譲渡希望者に対して、複数の譲受希望者を割り当てることにより、複数の譲受希望数との合計と、譲渡希望数とを一致させてもよい。また、マッチング部１３３は、譲渡希望数と一致する譲受希望数の譲受希望者が存在しない場合、一人の譲受希望者に対して、複数の譲渡希望者を割り当てることにより、複数の譲渡希望数との合計と、譲受希望数とを一致させてもよい。
【００４２】
合意受付部１３４は、マッチング部１３３によりマッチングされた譲渡希望者から有価証券の譲渡の合意を受け付けるとともに、譲受希望者から有価証券の譲受の合意を受け付ける。例えば、合意受付部１３４は、譲渡希望者が使用する第１ユーザ端末３に、当該譲渡希望者に譲受希望者が割り当てられたこと、及び当該譲渡希望者に譲渡する有価証券の数量を示すマッチング結果情報を通知し、第１ユーザ端末３から有価証券の譲渡の合意を受け付ける。また、合意受付部１３４は、譲受希望者が使用する第２ユーザ端末４に、当該譲受希望者に譲渡希望者が割り当てられたこと、及び当該譲受希望者から譲受する有価証券の数量を示すマッチング結果情報を通知し、第２ユーザ端末４から有価証券の譲受の合意を受け付ける。
【００４３】
所有者変更部１３５は、合意受付部１３４が譲渡及び譲受の合意を受け付けると、譲渡の対象となる有価証券の譲渡後の権利関係を示す権利情報を生成し、記憶部１２に記憶させる。また、所有者変更部１３５は、譲渡の対象となる有価証券に対応するトークン情報に関連付けられるユーザＩＤを、譲渡希望者のユーザＩＤから譲受希望者のユーザＩＤに変更し、譲受希望者のユーザＩＤと、当該有価証券に対応するトークン情報とを関連付けてブロックチェーン２に記憶させる。所有者変更部１３５は、合意受付部１３４が譲渡及び譲受の合意を受け付けると、スマートコントラクトを実行することにより、トークン情報を移転させるとともに、権利情報を生成させる。
【００４４】
具体的には、まず、所有者変更部１３５は、合意受付部１３４が譲渡及び譲受の合意を受け付けた後、有価証券の譲渡の伴う契約が締結されるとともに、支払手続が完了すると、譲受希望者に対応するウォレットに格納されているスマートコントラクトを実行する。例えば、スマートコントラクトには、譲渡希望者のユーザＩＤと、譲受希望者のユーザＩＤと、譲渡数量とが入力される。
【００４５】
スマートコントラクトは、譲受希望者に対応するウォレットに新たに格納されたトークン情報に対応する有価証券の権利情報を生成する。スマートコントラクトは、記憶部１２に記憶されているユーザ情報を参照し、譲受希望者のユーザＩＤ及び譲渡希望者のユーザＩＤのそれぞれに関連付けられている個人情報を取得する。スマートコントラクトは、取得した個人情報、入力された譲渡数量に基づいて、権利情報に含まれる名簿情報を更新するとともに、契約書等を新たに生成する。
【００４６】
続いて、スマートコントラクトは、譲渡の対象となる有価証券に対応するトークン情報を新たに生成し、譲受希望者に対応するウォレットに記憶させるとともに、譲渡の対象となる有価証券に対応するトークン情報を、譲渡希望者に対応するウォレットから消去することにより、トークン情報を、譲受希望者に対応するウォレットに移転させる。このように、所有者変更部１３５は、スマートコントラクトを実行することにより、当該トークン情報に関連付けられるユーザＩＤを、譲渡希望者のユーザＩＤから譲受希望者のユーザＩＤに変更し、譲渡希望者のユーザＩＤと、当該有価証券に対応するトークン情報とを関連付けてブロックチェーン２に記憶させることができる。これにより、譲受希望者は、有価証券が譲受されたことに応じて、即座に権利情報を参照することができる。
【００４７】
また、スマートコントラクトは、譲渡対象の有価証券の所有者が譲渡希望者から譲受希望者に移転したことを示す移転履歴情報をブロックチェーン２に記憶させる。ブロックチェーン２に記憶される情報は、改ざんすることが困難であることから、移動履歴情報の改ざんも困難である。したがって、移転履歴情報をブロックチェーン２に記憶させることにより、有価証券の不正な移転を抑制することができる。
【００４８】
なお、実施の形態において、ブロックチェーン２に記憶される移転履歴情報は、有価証券の発行者のみ参照可能であるものとするが、これに限らない。例えば、有価証券の現在の所有者及び有価証券の過去の所有者が、当該有価証券が自身に移転されたことを示す移転履歴、及び有価証券が自身から移転されたことを示す移転履歴のみ参照可能であってもよい。また、所有者変更部１３５は、スマートコントラクトを実行することにより、スマートコントラクトにトークン情報を移転させたが、これに限らない。所有者変更部１３５がトークン情報を移転し、その後移転したトークン情報に含まれるスマートコントラクトを実行することにより、スマートコントラクトに有価証券の権利情報を生成させてもよい。
【００４９】
監視部１３６は、ブロックチェーン２において、不正なデータが入力されていないかを監視する。記憶部１２には、データの入力に対して、入力されたデータが正常に入力されたデータか、不正に入力されたデータかを示す情報を出力する分類プログラムが記憶されている。分類プログラムは、ブロックチェーン２において過去に正常に入力された正のデータと、過去に不正に入力された負のデータとに基づいて予め学習することにより、生成されたプログラムである。
【００５０】
正常に入力された正のデータは、例えば、有価証券の移転が正常に行われたときの第１ユーザ端末３及び第２ユーザ端末４の有価証券管理装置１に対するアクセスログである。不正に入力された負のデータは、例えば、有価証券の移転が正常に行われなかったとき、又は有価証券の移転がキャンセルされたときの第１ユーザ端末３及び第２ユーザ端末４の有価証券管理装置１に対するアクセスログである。
【００５１】
監視部１３６は、有価証券管理装置１が第１ユーザ端末３及び第２ユーザ端末４からアクセスされたことに応じて、第１ユーザ端末３及び第２ユーザ端末４のアクセスに関する情報を分類プログラムに入力し、分類プログラムから出力される情報に基づいて、ブロックチェーン２において不正なデータが入力されていないかを監視する。監視部１３６は、不正なデータが入力されたことを検出すると、例えば、有価証券の発行者が使用する端末に、不正なデータが入力されたことを通知する。
【００５２】
［有価証券管理装置１における処理の流れ］
続いて、有価証券管理装置１における処理の流れについて説明する。図４は、実施の形態に係る有価証券管理装置１が実行する有価証券の移転に係る処理の流れを示すフローチャートである。
【００５３】
まず、マッチング部１３３は、譲渡希望者が使用する第１ユーザ端末３から譲渡要求を受け付けるとともに、譲受希望者が使用する第２ユーザ端末４から譲受要求を受け付ける（Ｓ１）。
続いて、マッチング部１３３は、譲渡要求を行った譲渡希望者と、譲受要求を行った譲受希望者とのマッチングを実行する（Ｓ２）。
【００５４】
続いて、合意受付部１３４は、マッチングされた譲渡希望者から譲渡合意を受け付けるとともに、譲受希望者から譲受合意を受け付ける（Ｓ３）。
【００５５】
続いて、所有者変更部１３５は、合意受付部１３４が譲渡及び譲受の合意を受け付けると、譲渡の対象となる有価証券に対応するトークン情報を、譲受希望者に対応するウォレットに移転させる（Ｓ４）。
【００５６】
続いて、所有者変更部１３５は、譲受希望者に対応するウォレットに格納されているスマートコントラクトを実行する（Ｓ５）。これにより、譲渡された有価証券に対応する権利情報が生成されて記憶部１２に記憶されるとともに、移転されたトークン情報に、譲受希望者に対応する鍵情報が格納される。
【００５７】
［実施の形態における効果］
以上説明したように、実施の形態に係る有価証券管理装置１は、発行済みの複数の有価証券のそれぞれに対応し、有価証券の権利関係を示す権利情報を記憶部に記憶させるとともに、有価証券を所有するユーザのユーザＩＤと、有価証券を示すとともにユーザが権利情報を参照する場合に用いられるトークン情報とを関連付けてブロックチェーン２に記憶させる。有価証券管理装置１は、有価証券の譲渡を希望する譲渡希望者と、有価証券の譲受を希望する譲受希望者とのマッチングを行い、マッチングされた譲渡希望者と譲受希望者とから、有価証券の譲渡及び譲受の合意を受け付けると、譲渡の対象となる有価証券の譲渡後の権利関係を示す権利情報を生成して記憶部１２に記憶させるとともに、譲受希望者のユーザＩＤと、譲渡の対象となる有価証券に対応するトークン情報とを関連付けてブロックチェーン２に記憶させる。このようにすることで、有価証券管理装置１は、譲渡の対象となる有価証券の新たな権利情報の生成を自動的に行うとともに、当該権利情報に譲受希望者がアクセス可能とすることができるので、有価証券の権利移転を容易に行うことができる。
【００５８】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５９】
１・・・有価証券管理装置、１１・・・通信部、１２・・・記憶部、１３・・・制御部、１３１・・・記憶制御部、１３２・・・権利情報提供部、１３３・・・マッチング部、１３４・・・合意受付部、１３５・・・所有者変更部、１３６・・・監視部、２・・・ブロックチェーン、３・・・第１ユーザ端末、４・・・第２ユーザ端末、Ｓ・・・有価証券管理システム
【要約】
【課題】有価証券の権利移転を容易に行う。
【解決手段】有価証券管理装置１は、発行済みの複数の有価証券のそれぞれに対応し、有価証券の権利関係を示す権利情報を記憶部１２に記憶させるとともに、有価証券を所有するユーザのユーザＩＤと、有価証券を示すとともにユーザが権利情報を参照する場合に用いられるトークン情報とを関連付けてブロックチェーン２に記憶させる記憶制御部１３１と、有価証券の譲渡希望者と、譲受希望者とのマッチングを行うマッチング部１３３と、マッチングされた譲渡希望者と譲受希望者とから、有価証券の譲渡及び譲受の合意を受け付けると、譲渡の対象となる前記有価証券の譲渡後の権利関係を示す権利情報を生成し、記憶部１２に記憶させるとともに、譲受希望者のユーザＩＤと、譲渡の対象となる有価証券に対応するトークン情報とを関連付けてブロックチェーン２に記憶させる所有者変更部１３５と、を備える。
【選択図】図２【図１】
0006895567.tif 000002
【図２】
0006895567.tif 000003
【図３】
0006895567.tif 000004
【図４】
0006895567.tif 000005